(57)【要約】【課題】排水口の口径を変えることなく、その排水効率を高めることができる排水ドレン及びこれを用いた排水構造を提供する。【解決手段】筒体１１の外周面にネジ部１２を形成すると共に、該筒体１１の上端にゴミ除け部２を設けた係止筒１と、前記ネジ部１２を螺合するネジ溝３２を筒体３１の内周面に形成すると共に、該筒体３１の上端に外方向に突出するフランジ部３３を設けた排水筒３と、よりなる排水ドレンにおいて、前記ゴミ除け部２の内面に上端を固着し、下方に向けて棒状の渦抑制第１軸体４が延設されたことを特徴とする。【選択図】図１
2008082050.tif 000002
【特許請求の範囲】
【請求項１】
筒体の外周面にネジ部を形成すると共に、該筒体の上端にゴミ除け部を設けた係止筒と、
前記ネジ部を螺合するネジ溝を筒体の内周面に形成すると共に、該筒体の上端に外方向に突出するフランジ部を設けた排水筒と、よりなる排水ドレンにおいて、
前記ゴミ除け部の内面に上端を固着し、下方に向けて棒状の渦抑制第１軸体が延設されたことを特徴とする排水ドレン。
【請求項２】
請求項１において、
渦抑制第１軸体は、係止筒の略中心位置に延設されている排水ドレン
【請求項３】
請求項１又は２の何れかにおいて、
ゴミ除け部の外面に下端を固着し、上方に向けて棒状の渦抑制第２軸体が更に延設されている排水ドレン。
【請求項４】
請求項３において、
渦抑制第２軸体は、渦抑制第１軸体の同軸上に延設されている排水ドレン。
【請求項５】
請求項１〜４の何れかにおいて、
渦抑制第１軸体の上端近傍、及び／又は、渦抑制第２軸体の下端近傍には、ゴミ除け部の枠部に固着される渦抑制補助体を形成している排水ドレン。
【請求項６】
請求項１〜５に記載された何れかの排水ドレンを用い、
排水筒のフランジ部を、排水口の口縁に係止すると共に、
前記排水筒のネジ溝に前記係止筒のネジ部を螺合して、前記排水筒と係止筒とを一体化し、前記ゴミ除け部に形成された開口窓を通じて排水するようにしてなる排水構造。
【発明の詳細な説明】
【技術分野】
【０００１】
本発明は、軒樋等の排水口に設置される排水ドレン及びこれを用いた排水構造に関する。
【背景技術】
【０００２】
一般に、軒樋の端部や、ビルの屋上等には、雨水等を排水するための排水口が形成されており、この排水口には、木の葉等のゴミの詰まりを防止しながら前記雨水等をスムーズに排水するための排水ドレンを設置している。
【０００３】
この排水ドレンは、筒体の外周面にネジ部を形成すると共に、該筒体の上端にゴミ除け部を設けた係止筒と、前記ネジ部を螺合するネジ溝を筒体の内周面に形成すると共に、該筒体の上端に外方向に突出するフランジ部を設けた排水筒と、より構成して成り、前記排水筒のフランジ部を、前記排水口の口縁に係止すると共に、前記排水筒のネジ溝に前記係止筒のネジ部を螺合して、前記排水筒と係止筒とを一体化し、前記ゴミ除け部に形成された開口窓を通じて雨水等を排水するようにしている（例えば、特許文献１参照。）。
【特許文献１】特開平９−２７３２７４号
【発明の開示】
【発明が解決しようとする課題】
【０００４】
しかし、従来の排水ドレンでは、その排水効率が十分でないという問題があった。
【０００５】
例えば、前記排水ドレンが軒樋の排水口に設置されている場合では、豪雨などのように雨量が増すと、前記排水口を通じて排水する排水量よりも、雨水等が溜まる雨量が勝ってしまい、雨水等が前記排水口を通じて十分に排水されずに軒樋に溜まってしまい、この軒樋から溢れ出るという問題がある。
【０００６】
一方、前記排水口の口径を大きく形成して排水量を高めることも考えられるが、これでは、排水口の口径に合わせて前記排水ドレンも大型化し、美観を損なううえ、コスト高となるため採用できない。
【０００７】
本発明は、かかる課題を解決することを目的とし、排水口の口径を変えることなく、その排水効率を高めることができる排水ドレン及びこれを用いた排水構造を提供するものである。
【課題を解決するための手段】
【０００８】
上記目的を達成するため、
請求項１に係る排水ドレンは、筒体の外周面にネジ部を形成すると共に、該筒体の上端にゴミ除け部を設けた係止筒と、前記ネジ部を螺合するネジ溝を筒体の内周面に形成すると共に、該筒体の上端に外方向に突出するフランジ部を設けた排水筒と、よりなる排水ドレンにおいて、前記ゴミ除け部の内面に上端を固着し、下方に向けて棒状の渦抑制第１軸体が延設されたことを特徴とする。
【０００９】
請求項２に係る排水ドレンは、請求項１において、渦抑制第１軸体は、係止筒の略中心位置に延設されている。
【００１０】
請求項３に係る排水ドレンは、請求項１又は２の何れかにおいて、ゴミ除け部の外面に下端を固着し、上方に向けて棒状の渦抑制第２軸体が更に延設されている。
【００１１】
請求項４に係る排水ドレンは、請求項３において、渦抑制第２軸体は、渦抑制第１軸体の同軸上に延設されている。
【００１２】
請求項５に係る排水ドレンは、請求項１〜４の何れかにおいて、渦抑制第１軸体の上端近傍、及び／又は、渦抑制第２軸体の下端近傍には、ゴミ除け部の枠部に固着される渦抑制補助体を形成している。
【００１３】
請求項６に係る排水構造は、請求項１〜５に記載された何れかの排水ドレンを用い、
排水筒のフランジ部を、排水口の口縁に係止すると共に、前記排水筒のネジ溝に前記係止筒のネジ部を螺合して、前記排水筒と係止筒とを一体化し、前記ゴミ除け部に形成された開口窓を通じて排水するようにしてなる。
【発明の効果】
【００１４】
本発明によれば、次のような効果がある。
請求項１に係る排水ドレンによれば、ゴミ除け部の内面に上端を固着し、下方に向けて棒状の渦抑制第１軸体を延設しているため、前記ゴミ除け部に形成された開口窓を通じて排水される雨水等は、前記渦抑制第１軸体に接触しながら排水される。
【００１５】
そのため、前記渦抑制第１軸体によって、排水口に生じる渦巻流を緩和して、排水量を増加することができ、排水効率を高めることができる。
【００１６】
請求項２に係る排水ドレンによれば、渦抑制第１軸体は、係止筒の略中心位置に延設されているので、渦巻流の中心部分に接触し易く、排水効率を確実に高めることができる。
【００１７】
請求項３に係る排水ドレンによれば、ゴミ除け部の外面に下端を固着し、上方に向けて棒状の渦抑制第２軸体が更に延設されているため、ゴミ除け部の全体が浸水しても、該ゴミ除け部の上位に生じる渦巻流をも緩和して、排水量を増加することができ、排水効率を高めることができる。
【００１８】
請求項４に係る排水ドレンによれば、渦抑制第２軸体は、渦抑制第１軸体の同軸上に延設されているため、ゴミ除け部の全体が浸水しても、該ゴミ除け部を介して上方及び下方に生じる渦巻流を同程度に緩和して均一化を図り、スムーズな排水を行うことができる。
【００１９】
請求項５に係る排水ドレンによれば、渦抑制第１軸体の上端近傍、及び／又は、渦抑制第２軸体の下端近傍には、ゴミ除け部の枠部に固着される渦抑制補助体を形成しているので、前記ゴミ除け部の上方、及び／又は、下方に生じる渦巻流を更に緩和して、排水量を更に増加することができ、排水効率を一層高めることができる。
【００２０】
請求項６に係る排水構造によれば、請求項１〜５に記載された何れかの排水ドレンを用いて、排水効率の高い排水構造を提供できる。
【発明を実施するための最良の形態】
【００２１】
以下、本発明に係る排水ドレンＡ及びこれを用いた排水構造Ｚを図面とともに説明する。
【実施例１】
【００２２】
図１は、本発明に係る排水ドレンＡ及びこれを用いた排水構Ｚの一実施例を概略した使用状態を示す分解斜視図であり、図２は、図１で示した本発明に係る排水ドレンＡの縦断面図である。
【００２３】
なお、図１では、本発明に係る排水ドレンＡを軒樋Ｔの端部に開設された排水口Ｔ１に設置した排水構造Ｚを例示している。
【００２４】
この排水ドレンＡは、筒体１１の外周面にネジ部１２を形成すると共に、該筒体１１の上端にゴミ除け部２を設けた係止筒１と、ネジ部１２を螺合するネジ溝３２を筒体３１の内周面に形成すると共に、該筒体３１の上端に外方向に突出するフランジ部３３を設けた排水筒３と、より構成され、このゴミ除け部２の内面に上端を固着し、下方に向けて棒状の渦抑制第１軸体４が延設されたことを特徴とする。
【００２５】
係止筒１は、合成樹脂で形成され、排出口Ｔ１よりも僅かに小径な筒体１１の上端に、ゴミ除け部２を一体に形成してなる。
【００２６】
このゴミ除け部２は、図示したように、帯状或いは棒状の基材２１を四方に延設させたドーム状に形成し、これら基材２１の下端を筒体１１の上端に固着して、各々の基材２１の間に４つの開口窓２２を形成してなる。
【００２７】
また、基材２１が交差されたゴミ除け部２の略中心部２４には、その内面に上端を固着し、下方に向けて棒状の渦抑制第１軸体４を延設している。
【００２８】
この渦抑制第１軸体４は、その下端が係止筒１の半分程に位置されると共に、係止筒１の略中心位置に延設されている。
【００２９】
また、筒体１１の上端には、外方に向けて排出口Ｔ１よりも大径な鍔２３を形成している。
【００３０】
排水筒３は、合成樹脂で形成され、係止筒１のネジ部１２を螺合して内嵌し、その筒体３１の上端には、外方向に突出するフランジ部３３を係止筒１の鍔２３と略同形に形成してなる。
【００３１】
このように形成した排水筒３のフランジ部３３を、排水口Ｔ１の口縁に係止すると共に、排水筒３のネジ溝３２に向けて、係止筒１のネジ部１２を螺合すれば、排水口Ｔ１の口縁をフランジ部３３と鍔２３で挟着すると共に、これら排水筒３と係止筒１が一体化される。
【００３２】
そして、軒樋Ｔに貯水された雨水等は、ゴミ除け部２に形成された開口窓２２を通じて係止筒１の筒体１１に流れ落ち、下方へと排水されるが、このとき、雨水等に混じった木の葉等のゴミは、ゴミ除け部２の基材２１に引っ掛って阻止され、開口窓２２を通じて係止筒１の筒体１１に流れ落ちることが防止される。
【００３３】
一方、開口窓２２を通じて排水される雨水等は、渦抑制第１軸体４に接触しながら排水される。
【００３４】
そのため、この渦抑制第１軸体４に排水が接触することによって、排水口Ｔ１に生じる渦巻流が緩和される。ここで、緩和とは、渦巻流の深さが浅くなるという意味である。
【００３５】
また、軸体４の横断面形状は、渦巻流を緩和する効果があれば良く、本実施例では、横断面円形のものを例示しているが、その他の形状、例えば、横断面三角形・四角形・星形・十字形であっても良く、本実施例に限定されるものではない。
【００３６】
その結果、渦巻流によって、その中心部分に生じる空間が減少されるので、排水量を増加することができ、排水口Ｔ１の口径を変えることなく、排水効率を高めることができる。
【実施例２】
【００３７】
図３、図４は、本発明に係る排水ドレンＡの他の実施例を示した縦断面図であり、図３は、図２で示したゴミ除け部２の上方に向けて棒状の渦抑制第２軸体が更に延設された排水ドレンＢを示した縦断面図であり、図４は、図２で示した渦抑制第１軸体の上端近傍に渦抑制補助体を形成した排水ドレンＣを示した縦断面図である。
【００３８】
なお、図１、２と共通する部位には、同一の符号を付して重複する説明は省略し、以下では、各実施例の特徴についてのみ説明する。
【００３９】
図３で示した排水ドレンＢは、ゴミ除け部２の外面に下端を固着し、上方に向けて棒状の渦抑制第２軸体６が更に延設されている点に特徴がある。
【００４０】
具体的には、渦抑制第２軸体６は、ゴミ除け部２の略中心部２４に下端が固着され、その上端を僅かに上方に向けて延設される。
【００４１】
ここでは、図２で示した渦抑制第１軸体４の上端を、ゴミ除け部２の略中心部２４に固着せずに、そのまま上方に突出させて固着することで、一体化された渦抑制第１軸体４及び渦抑制第２軸体６を同軸上に形成している。
【００４２】
このような渦抑制第２軸体６を更に延設した排水ドレンＢによれば、雨水等が増えてゴミ除け部２の全体が浸水しても、該ゴミ除け部２の上位に生じる渦巻流を渦抑制第２軸体６が緩和して、排水量を増加することができ、排水効率を高めることができる。
【００４３】
次に、図４で示した排水ドレンＣは、渦抑制第１軸体４の上端に、ゴミ除け部２の枠部である基材２１に固着される渦抑制補助体７を形成している点に特徴がある。
【００４４】
具体的には、渦抑制補助体７は、渦抑制第１軸体４の上端に、三角状に形成した板片を、四方に延設された各々の基材２１に固着するか、又は、渦抑制第１軸体４の上端を逆三角錐状に形成して渦抑制補助体７を形成しても良い。
【００４５】
なお、ここでは、渦抑制第１軸体４の上端にのみ渦抑制補助体７を形成したものを例示したが、渦抑制補助体７は、図３で示した渦抑制第２軸体６の下端近傍に形成しても良く、また、渦抑制補助体７を渦抑制第１軸体４の上端ではなく、上端よりも略下方の位置に、板片（不図示）を外方に向けて突設させて形成しても構わない。
【００４６】
このような渦抑制補助体７を形成した排水ドレンＣによれば、渦抑制補助体７が更に抵抗となって、ゴミ除け部２の下方に生じる渦巻流を更に緩和し、排水量を更に増加することができ、排水効率を一層高めることができる。
【００４７】
以上の通り、本発明に係る排水ドレンＡ〜Ｃは、何れもが従来品に比べて排水効率が高められるが、本発明者は、これを実証するための比較実験を行った。
【００４８】
表１は、従来品と、本発明に係る排水ドレンＡ〜Ｃとの排水効率を比較実験した試験データである。
【００４９】
比較実験の方法としては、排水口から排水される雨水等の排水効率を比較実験するために、ポリバケツの底壁に同口径の排水口を開設し、この排水口に従来品の排水ドレン、実施例１で示した排水ドレンＡ、実施例２で示した排水ドレンＢ、Ｃを各々取付けた。
【００５０】
次に、前記排水口を閉止しておき、各々のポリバケツに同量（４５リットル）の水を貯水した。
【００５１】
そして、前記排水口を同時に開放し、各々のポリバケツから排水される時間を計測した。
【００５２】
この試験データからも理解できる通り、従来品の排水ドレンでは、所定量の排水を行うのに８．０５秒を要したのに比べ、実施例１の排水ドレンＡでは、７．７４秒、実施例２の排水ドレンＢでは、７．７０秒、排水ドレンＣでは、７．５０秒で、各々排水することができた。
【００５３】
すなわち、この比較実験では、本発明に係る排水ドレンＡ、Ｂ、Ｃ及びこれを用いた排水構造Ｚが、従来の排水ドレンに比べて、何れも短い時間で排水され、その排水効率が高まることを実証できた。
【００５４】
【表１】
2008082050.tif 000003
なお、図５は、本発明に係る排水ドレンＡを、ビルの屋上等に開設された排水口Ｔ１に設置する場合の一実施例を概略した使用状態を示す分解斜視図であり、このような排水口Ｔ１に本発明に係る排水ドレンＡを設置する場合には、コンクリート等で形成された排水口Ｔ１に排水筒３を嵌挿して固着し、その後、排水筒３のネジ溝３２に向けて、係止筒１のネジ部１２を螺合すれば、フランジ部３３と鍔２３が密着して、排水筒３と係止筒１が一体化される。
【００５５】
そして、屋上等の雨水等は、前述同様にして、ゴミ除け部２に形成された開口窓２２を通じて係止筒１の筒体１１に流れ落ち、効率良く排水されるのである。
【図面の簡単な説明】
【００５６】
【図１】本発明に係る排水ドレンＡ及びこれを用いた排水構造Ｚの一実施例を概略した使用状態を示す分解斜視図である。
【図２】図１で示した本発明に係る排水ドレンＡの縦断面図である。
【図３】図２で示したゴミ除け部２の上方に向けて棒状の渦抑制第２軸体が更に延設された排水ドレンＢを示した縦断面図である。
【図４】図２で示した渦抑制第１軸体の上端近傍に渦抑制補助体を形成した排水ドレンＣを示した縦断面図である。
【図５】本発明に係る排水ドレンＡを、ビルの屋上等に開設された排水口Ｔ１に設置する場合の一実施例を概略した使用状態を示す分解斜視図である。
【符号の説明】
【００５７】
Ａ、Ｂ、Ｃ    排水ドレン
１    係止筒
１１  筒体
１２  ネジ部
２    ゴミ除け部
２３  開口窓
３    排水筒
３１  筒体
３２  ネジ溝
３３  フランジ部
４    渦抑制第１軸体
６    渦抑制第２軸体
７    渦抑制補助体
【図１】
2008082050.tif 000004
【図２】
2008082050.tif 000005
【図３】
2008082050.tif 000006
【図４】
2008082050.tif 000007
【図５】
2008082050.tif 000008